(57)【要約】【課題】コンパクトな構成で船舶のエンジンの廃熱を利用することができる船舶用蓄熱装置ならびに船舶を提供する。【解決手段】船舶用蓄熱装置１０は、清水タンク用のスペースを有する船舶の蓄熱装置であって、清水が貯留される低温槽４と、低温槽４の清水を船舶１のエンジン２０の廃熱により温める熱交換器６と、熱交換器６においてエンジン２０の廃熱により温められた清水を貯留する高温槽４と、低温槽４、熱交換器６および高温槽８を連結する第１配管１２と、第１配管１２に配置され、熱交換器６を介して低温槽４から高温槽８に清水を送る第１ポンプ１４とを備える。低温槽４および高温槽８は、清水タンク用のスペースに、互いに独立に形成されている。【選択図】図１
2011131691.tif 000002
【特許請求の範囲】
【請求項１】
清水タンク用のスペースを有する船舶の蓄熱装置であって、
清水が貯留される低温槽と、
前記低温槽の前記清水を前記船舶のエンジンの廃熱により温める熱交換器と、
前記熱交換器において前記エンジンの前記廃熱により温められた前記清水を貯留する高温槽と、
前記低温槽、前記熱交換器および前記高温槽を連結する第１配管と、
前記第１配管に配置され、前記熱交換器を介して前記低温槽から前記高温槽に前記清水を送る第１ポンプとを備え、
前記低温槽および前記高温槽は、前記清水タンク用のスペースに、互いに独立に形成されていることを特徴とする船舶用蓄熱装置。
【請求項２】
前記低温槽および前記高温槽は、前記船舶の既設の前記清水タンクを分割して形成されることを特徴とする請求項１に記載の船舶用蓄熱装置。
【請求項３】
前記低温槽と前記高温槽とを連結する第２配管と、
前記第２配管に配置され、前記高温槽から前記低温槽に前記清水を戻す第２ポンプと、
前記高温槽に配置され、前記高温槽内の前記清水の温度を測定する温度センサと、
前記高温槽に配置され、前記高温槽内の前記清水の液面を検出するレベル計と、
前記温度センサおよび前記レベル計の測定結果に基づいて、前記第１配管および前記第２配管を流れる前記清水の流量を調節する流量調節手段とをさらに備えることを特徴とする請求項１又は２に記載の船舶用蓄熱装置。
【請求項４】
前記第１配管の前記低温槽と前記熱交換器との間に、前記第１配管と前記高温槽とを連結する第３配管と、
前記第３配管に配置され、前記高温槽から前記第１配管に前記清水を戻す第３ポンプと、
前記高温槽に配置され、前記高温槽内の前記清水の温度を測定する温度センサと、
前記高温槽に配置され、前記高温槽内の前記清水の液面を検出するレベル計と、
前記温度センサおよび前記レベル計の測定結果に基づいて、前記第１配管および前記第３配管を流れる前記清水の流量を調節する流量調節手段とをさらに備えることを特徴とする請求項１又は２に記載の船舶用蓄熱装置。
【請求項５】
前記熱交換器は、前記低温槽の前記清水を前記エンジンの冷却水と熱交換して、前記清水を温めることを特徴とする請求項１乃至４のいずれか一項に記載の船舶用蓄熱装置。
【請求項６】
前記エンジンと、
請求項１乃至５のいずれか一項に記載の船舶用蓄熱装置とを備えることを特徴とする船舶。
【請求項７】
前記高温槽内の前記清水を加熱するボイラと、
前記ボイラにより加熱された前記清水を、前記低温槽内の前記清水と混合して船内に供給する給湯管とをさらに備えることを特徴とする請求項６に記載の船舶。
【発明の詳細な説明】
【技術分野】
【０００１】
本発明は、船舶用蓄熱装置および船舶に係り、特に、船泊内で使用する温水を供給するために用いる船舶用蓄熱装置および船舶に関する。
【背景技術】
【０００２】
一般的に、大型フェリーのような船舶は、船舶内で使用する清水が貯留される清水タンクを備えている。このような船舶では、船舶内で使用する温水を供給するために、ボイラ等により清水をその都度加熱している。
【０００３】
しかし、ボイラの加熱によって温水を得る場合、ボイラで消費する燃料が多大に必要となる。一方、ボイラの燃料削減や船舶のエンジンのエネルギー効率を向上させる観点から、エンジンの廃熱を利用することが求められている。このことから、船舶のエンジンの廃熱を利用して温水を供給することができる船舶の開発が望まれているが、温水の需要（熱需要）とエンジンの廃熱の供給（機関廃熱）とは必ずしも時間的に一致しないことがある。
【０００４】
温水の需要と船舶のエンジン廃熱の供給とが時間的に一致しない場合は、船舶のエンジンの廃熱を有効に活用しにくい。
例えば、船舶は乗客を乗船させるために寄港すると、温水の需要が急激に高まる場合がある。一方で、寄港時は環境保全の観点から、船舶のエンジンを停止したりすることが望まれる。このように、従来、寄港時では温水の需要とエンジン廃熱の供給とが時間的に一致しない場合があった。
そこで、エンジンの廃熱を蓄熱する蓄熱装置を設け、必要に応じて蓄熱装置から熱を取り出すことが重要となる。
【０００５】
例えば、内燃機関および内燃機関を補助する電動機の廃熱を蓄熱する装置が特許文献１に提案されている。特許文献１は、内燃機関を冷却する清水が内燃機関を循環し、内燃機関の廃熱を温水タンク（蓄熱槽）に蓄熱するようになっている。蓄熱槽に貯留される冷却水は、必要に応じて船内の温水供給に用いられる。
【先行技術文献】
【特許文献】
【０００６】
【特許文献１】特開２００３−８１１８５号公報
【発明の概要】
【発明が解決しようとする課題】
【０００７】
しかしながら、船舶内のスペースは限られており、蓄熱槽を配置するスペースを確保することは難しい。特許文献１には、電動機冷却に使用した冷却水を貯留し、船内の温水供給に利用するとしているものの、蓄熱槽の配置や温水貯留方法、温水利用方法について具体的な記載がない。
【０００８】
本発明は上述の事情に鑑みてなされたものであり、コンパクトな構成で船舶のエンジンの廃熱を利用することができる船舶用蓄熱装置ならびに船舶を提供することを目的とする。
【課題を解決するための手段】
【０００９】
本発明に係る船舶用蓄熱装置は、清水タンク用のスペースを有する船舶の蓄熱装置であって、清水が貯留される低温槽と、前記低温槽の前記清水を前記船舶のエンジンの廃熱により温める熱交換器と、前記熱交換器において前記エンジンの前記廃熱により温められた前記清水を貯留する高温槽と、前記低温槽、前記熱交換器および前記高温槽を連結する第１配管と、前記第１配管に配置され、前記熱交換器を介して前記低温槽から前記高温槽に前記清水を送る第１ポンプとを備え、前記低温槽および前記高温槽は、前記清水タンク用のスペースに、互いに独立に形成されていることを特徴とする。
ここで、本明細書において、「前記低温槽および前記高温槽は、前記清水タンク用のスペースに互いに独立に形成されている」とは、既設の船舶の清水タンクを改造により低温槽および高温槽に分割してそれぞれ独立化することに加え、新設の船舶の清水タンク用のスペースに低温槽および高温槽を独立に設置することをも含む。
【００１０】
上記船舶用蓄熱装置では、清水タンク用のスペースに、高温槽および低温槽を設け、低温槽に清水を貯留するとともに、エンジンの廃熱により温めた清水を高温槽に貯留するようにしたので、船舶内に蓄熱槽を設置するためのスペースを新たに設ける必要がない。
よって、コンパクトな構成で船舶のエンジンの廃熱を利用することができる。
【００１１】
また、前記低温槽および前記高温槽は、前記船舶の既設の前記清水タンクを分割して形成されてもよい。
これにより、既設の清水タンクのスペースを利用して高温槽を形成することができるので、より一層コンパクトな構成で船舶のエンジンの廃熱を利用することができる。
【００１２】
また、前記低温槽と前記高温槽とを連結する第２配管と、前記第２配管に配置され、前記高温槽から前記低温槽に前記清水を戻す第２ポンプと、前記高温槽に配置され、前記高温槽内の前記清水の温度を測定する温度センサと、前記高温槽に配置され、前記高温槽内の前記清水の液面を検出するレベル計と、前記温度センサおよび前記レベル計の測定結果に基づいて、前記第１配管および前記第２配管を流れる前記清水の流量を調節する流量調節手段とをさらに備えてもよい。
【００１３】
例えば、船内における温水の需要が供給量を大きく下回った場合、高温槽内の温水（エンジンの廃熱により温められた清水に相当）は、消費されないまま長時間残存し、温度が次第に低下する。このように、高温槽内の温水の温度が低下すると、温水として船舶内に供給することができないことがあるため、高温槽内の温水の温度は規定温度以上に維持することが重要である。また、船内における温水の需要に応じて、高温槽内の温水を直ちに供給することができるように、高温槽内の温水量は規定量残存するように維持することが重要である。
そこで、温度センサおよびレベル計の測定結果に基づいて、第１配管および第２配管を流れる清水の流量を調節する。これにより、コンパクトな構成で船舶のエンジンの廃熱を利用するだけでなく、高温槽内の温水の温度および温水量を規定値以上に維持することができ、船内への温水の供給が円滑に行われる。
【００１４】
あるいは、前記第１配管の前記低温槽と前記熱交換器との間に、前記第１配管と前記高温槽とを連結する第３配管と、前記第３配管に配置され、前記高温槽から前記第１配管に前記清水を戻す第３ポンプと、前記高温槽に配置され、前記高温槽内の前記清水の温度を測定する温度センサと、前記高温槽に配置され、前記高温槽内の前記清水の液面を検出するレベル計と、前記温度センサおよび前記レベル計の測定結果に基づいて、前記第１配管および前記第３配管を流れる前記清水の流量を調節する流量調節手段とをさらに備えてもよい。
【００１５】
このように、温度センサおよびレベル計の測定結果に基づいて、第１配管および第３配管を流れる清水の流量を調節する。これにより、コンパクトな構成で船舶のエンジンの廃熱を利用するだけでなく、高温槽内の温水の温度および温水量を規定値以上に維持することができ、船内への温水の供給が円滑に行われる。
【００１６】
また、前記熱交換器は、前記低温槽の前記清水を前記エンジンの冷却水と熱交換して、前記清水を温めることが好ましい。
一般的に、船舶のエンジンの廃熱を有するものとして、エンジンの冷却水や排ガスなどが挙げられる。従来より船舶のエンジンの排ガスは発電用等に用いられているのに対し、エンジンの冷却水は廃熱利用されずに海へ捨てられていることが多い。しかし、船舶のエンジンの冷却水においても、排ガスと同様に、廃熱の有効な利用が求められている。そこで、低温槽の清水をエンジンの冷却水と熱交換して清水を温めるようにした。
これにより、船舶のエンジンの廃熱をより一層有効に利用することができる。
【００１７】
本発明に係る船舶は、前記エンジンと、上記船舶用蓄熱装置とを備えることを特徴とする。
上記船舶では、清水タンク用のスペースに、高温槽および低温槽を設け、低温槽に清水を貯留するとともに、エンジンの廃熱により温めた清水を高温槽に貯留するようにしたので、船舶内に蓄熱槽を設置するためのスペースを新たに設ける必要がない。
よって、コンパクトな構成で船舶のエンジンの廃熱を利用することができる。
【００１８】
また、前記高温槽内の前記清水を加熱するボイラと、前記ボイラにより加熱された前記清水を、前記低温槽内の前記清水と混合して船内に供給する給湯管とをさらに備えることが好ましい。
船内における温水の需要が供給量を大きく下回った場合、高温槽内の温水は、消費されないまま長時間残存し、温度が次第に低下する。そこで、高温槽内の清水を加熱するボイラを備える。
これにより、例えば、高温槽内の温水の温度が低下しても、ボイラによって追い炊きすることができるので、規定温度の温水を得ることができる。したがって、船内で使用する温水の安定した供給を行うことが可能となる。また、ボイラを補助的に用いるので、従来の船舶に比べて燃料消費を抑えることができ、環境性にも配慮できる。
【発明の効果】
【００１９】
本発明では、清水タンク用のスペースに、高温槽および低温槽を設け、低温槽に清水を貯留するとともに、エンジンの廃熱により温めた清水を高温槽に貯留するようにしたので、船舶内に蓄熱槽を設置するためのスペースを新たに設ける必要がない。
よって、コンパクトな構成で船舶のエンジンの廃熱を利用することができる。
【図面の簡単な説明】
【００２０】
【図１】実施形態１に係る船舶用蓄熱装置を備えた船舶の一例を示す構成図である。
【図２】高温槽の一例を示す構成図である。
【図３】実施形態２に係る船舶用蓄熱装置を備えた船舶の一例を示す構成図である。
【図４】実施形態２に係る清水の流量調節の一例を示すフローチャートである。
【図５】実施形態３に係る船舶用蓄熱装置を備えた船舶の一例を示す構成図である。
【図６】実施形態４に係る船舶用蓄熱装置を備えた船舶の一例を示す構成図である。
【図７】実施形態５に係る船舶用蓄熱装置を備えた船舶の一例を示す構成図である。
【発明を実施するための形態】
【００２１】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２２】
［実施形態１］
図１は、本発明の実施形態１に係る船舶用蓄熱装置を備えた船舶の一例を示す構成図である。
【００２３】
船舶１は、図１に示すように、主として、船舶用蓄熱装置１０と、エンジン２０と、ボイラ１６と、給湯管１８とにより構成される。
【００２４】
船舶用蓄熱装置１０は、エンジン２０の廃熱を蓄熱する装置であって、例えば、低温槽４と、熱交換器６と、高温槽８と、第１配管１２と、第１ポンプ１４とを備える。
【００２５】
低温槽４および高温槽８は、清水タンク２用のスペースに、互いに独立に形成されている。なお、低温槽４および高温槽８は、既設の船舶の清水タンクを改造して形成してもよいし、新設の船舶の清水タンクのスペースに形成してもよい。
【００２６】
エンジン２０の廃熱は、船舶１内で利用する清水に蓄熱され、高温槽８に貯留される。
清水タンク用のスペースに、高温槽および低温槽を設け、低温槽に清水を貯留するとともに、エンジンの廃熱により温めた清水を高温槽に貯留するようにしたので、船舶内に蓄熱槽を設置するためのスペースを新たに設ける必要がない。
よって、コンパクトな構成で船舶のエンジンの廃熱を利用することができる。
【００２７】
高温槽８は、上述のように、熱交換器６においてエンジン２０の廃熱により温められた清水を温水として貯留し、エンジンの廃熱を蓄熱するものであり、蓄熱槽（貯湯槽）に相当する。また、図示しないが、高温槽８は、タンクと断熱材との二重構造で形成されており、高温槽８内に貯留する清水温度の低下を抑制する。
また、図２に示すように、高温槽８内の気液界面に断熱性の高い断熱蓋３１を設置することが好ましい。これにより、高温槽８内の保温性を高めることができる。なお、断熱蓋３１は、高温槽８の水位に応じて移動可能になっている。
【００２８】
低温槽４には、常温の清水が貯留されており、この清水の温度は高温槽８内の清水よりも低温である。低温槽４内の清水は第１配管１２を介して熱交換器６へ送られる。
【００２９】
熱交換器６では、低温槽４の清水と、船舶１のエンジン２０の廃熱とを熱交換することにより、低温槽４から送られる清水を温める。ここで用いる船舶１のエンジン２０の廃熱は、特に限定されず、エンジンの排ガスでもよいし、エンジンの冷却水でもよい。特にエンジンの冷却水は、一般的に、エンジンの排ガスと比べて廃熱利用されずに海へ捨てられていることが多いが、上述したように低温槽４の清水と熱交換することにより、清水を温めるために有効利用できる。
【００３０】
第１配管１２は、上述の低温槽４、熱交換器６および高温槽８を連結する。第１配管１２は、任意の手法で流量が調整されていることが好ましい。具体的には、例えば、流量可変型の第１ポンプ１４を用いてもよいし、流量調節用のバルブ１５を設けてもよい。
第１ポンプ１４は、熱交換器６を介して低温槽４から高温槽８に清水を送る。
【００３１】
ボイラ１６は、高温槽８内の清水（温水）を加熱してもよい。
これにより、船内における温水の需要が供給量を大きく下回り、高温槽内の温水が消費されないまま長時間残存し、温度が次第に低下した場合であっても、ボイラによって追い炊きすることができる。一方、例えば、船内における温水の需要が供給量を大きく上回って高温槽８内の温水が不足してしまい、船内に給湯できない場合であっても、ボイラ１６によって一時的に高温槽８内の清水（温水）を温めることにより、温水の不足分を補えることができる。
よって、規定温度および規定量の温水を船内に供給することが可能となる。また、ボイラ１６は、補助的に用いるので、従来の船舶に比べて燃料消費を抑えることができ、環境性にも配慮できる。
なお、上述の温水の規定温度は、特に限定されないが、船舶用蓄熱装置１０から遠い船内の客室に供給することを踏まえて実際に使用するよりも高めの温度（例えば８０℃程度）にしてもよい。
【００３２】
給湯管１８は、ボイラ１６により加熱された高温槽８からの清水と、低温槽４内の清水とを混合して船内に供給する。高温槽８からの清水および低温槽４からの清水は、バルブ１９およびバルブ１７によってそれぞれ流量調節されるようにしてもよい。
【００３３】
船舶１は、上述する船舶用蓄熱装置１０を備えているので、例えば、寄港するまでに高温槽８に温水を溜めておくことができる。よって、乗客を乗船させるために寄港し温水の需要が急激に高まる場合であっても、ボイラをできるだけ使用せずに船内に温水を供給することができる。寄港時では環境保全の観点から、ボイラに使用制限を設けたり、船舶のエンジンを停止したりすることが望まれるため、特に効果的である。
【００３４】
［実施形態２］
次に、実施形態２に係る船舶用蓄熱装置について説明する。
図３は、本発明の実施形態２に係る船舶用蓄熱装置を備えた船舶の一例を示す構成図である。図４は、実施形態２に係る清水の流量調節の一例を示すフローチャートである。
【００３５】
実施形態２に係る船舶用蓄熱装置１０は、高温槽８内の清水（温水）の温度と清水量を規定値以上に維持するようにした点を除けば、図１で説明した船舶用蓄熱装置１０と同一の構成である。そのため、実施形態１と同一の構成については、その詳細な説明を省略する。
図３に示すように、船舶用蓄熱装置１０は、図１で説明した構成の他に、第２配管２２と、第２ポンプ２４と、温度センサ２６と、レベル計２８とをさらに備える。
【００３６】
第２配管２２は、低温槽４と高温槽８とを連結する。第２配管２２の一端は、高温槽８の底面側に設けられた排出口２９に接続されていることが好ましい。第２配管２２の他端は、低温槽４に接続されており、図３に示すように、低温槽４の上面側に接続されていてもよいし、低温槽４の側面側に接続されていてもよい。
第２配管２２は、任意の手法で流量が調節されていることが好ましい。具体的には、例えば、流量可変型の第２ポンプ２４を用いてもよいし、流量調節用のバルブ２５を設けてもよい。
【００３７】
高温槽８内の清水は、高温槽８の底面に近づくにつれて低温になるように、あえて撹拌しないことが好ましい。これにより、第２ポンプ２４によって、高温槽８内の清水の中でもより低い温度の清水を排出口２９から低温槽４に戻すことができる。
【００３８】
温度センサ２６は、高温槽８内の清水の温度を測定するものであり、高温槽８の任意の場所に設置することができる。温度センサの個数は、少なくとも一つあれば特に限定されない。例えば、上述のように高温槽８内の清水温度に温度分布があれば、図３に示すように、高温槽８の上下に温度センサ２６ａ、２６ｂを設けてもよい。ここでは、温度センサ２６ａ、２６ｂで測定される清水温度をそれぞれＴ１、Ｔ２とする。
レベル計２８は、高温槽８に配置されており、高温槽８内の清水の液面を検出する。
【００３９】
船内における温水の需要に応じて、高温槽８内の清水（温水）を船内に供給するためには、高温槽８内の清水の温度を規定温度以上に維持するとともに、高温槽８内の清水量（温水量）を規定量残存するように維持することが重要である。そこで、温度センサ２６およびレベル計２８の測定結果に基づいて、第１配管１２および第２配管２２を流れる清水の流量を調節したほうがよい。
【００４０】
例えば、図４に示すように、まず、エンジン２０の起動を確認する（ステップ１）。エンジン２０の起動が確認されると、ステップ３へ進む。一方、エンジン２０が起動していないと判定されると（ステップ１のＮＯ判定）、第１配管１２を閉じるともに、第２配管２２を閉じる（ステップ２）。
【００４１】
ステップ１でエンジン２０の起動（ステップ１）が確認されると、高温槽８内に貯留される清水が規定量あるか否かをレベル計２８によって判定する（ステップ３）。高温槽８内に貯留される清水が規定量あると判定されると（ステップ３のＹＥＳ判定）、温度センサ２６ｂによって高温槽８の底面側の清水温度Ｔ２が測定され（ステップ５）、ステップ６へ進む。
一方、高温槽８内に貯留される清水が規定量ないと判定されると（ステップ３のＮＯ判定）、流量可変型の第１ポンプ１４またはバルブ１５を用いて第１配管１２を開いて第１配管１２の流量を現時点の流量より大きくするとともに、流量可変型の第２ポンプ２４またはバルブ２５を用いて第２配管２２を閉じて第２配管２２の流量を現時点の流量より小さくする（ステップ４）。このとき、第２配管２２は、高温槽８内に貯留される清水が規定量ないことから、全閉することが好ましい。
【００４２】
ステップ６では、高温槽８の底面側の清水温度Ｔ２と高温槽８内の清水の規定温度Ｔｔｈとを比較する。
高温槽８の底面側の清水温度Ｔ２が上述の規定温度Ｔｔｈ以下の場合（ステップ６のＹＥＳ判定）は、流量可変型の第１ポンプ１４またはバルブ１５を用いて第１配管１２を開いて第１配管１２の流量を現時点の流量より大きくするとともに、流量可変型の第２ポンプ２４またはバルブ２５を用いて第２配管２２を開いて第２配管２２の流量を現時点の流量より大きくする（ステップ７）。
【００４３】
一方、温度センサ２６ｂの測定結果に基づいて、高温槽８の底面側の清水温度Ｔ２が清水の規定温度Ｔｔｈよりも大きい（Ｔ２＞Ｔｔｈ）場合（ステップ６のＮＯ判定）は、流量可変型の第１ポンプ１４またはバルブ１５を用いて第１配管１２を閉じて第１配管１２の流量を現時点の流量より小さくするとともに、流量可変型の第２ポンプ２４またはバルブ２５を用いて第２配管２２を閉じて第２配管２２の流量を現時点の流量より小さくする（ステップ８）。なお、このとき高温槽８内の清水の温度および清水量は、規定値を満たした状態であるので、第１配管１２および第２配管２２を全閉することが好ましい。
【００４４】
ここでは、規定温度Ｔｔｈと比較する対象として、温度センサ２６ｂで測定される高温槽８の底面側の清水温度Ｔ２を用いた例について説明したが、特に限定されず、比較対象は温度センサ２６ａで測定される高温槽８の上面側の清水温度Ｔ１であってもよいし、上述の清水温度Ｔ１と清水温度Ｔ２の平均値であってもよい。
【００４５】
これにより、例えば、船内における温水の需要が供給量を大きく下回り、高温槽８内の清水（温水）が消費されないまま長時間残存して清水温度が次第に低下した場合でも、高温槽８から低温槽４に清水を戻すことができる。
よって、コンパクトな構成で船舶のエンジンの廃熱を利用するだけでなく、高温槽内の温水の温度および温水量を規定値以上に維持することができ、船内への温水の供給が円滑に行われる。
【００４６】
［実施形態３］
次に、実施形態３に係る船舶用蓄熱装置について説明する。
図５は、本発明の実施形態３に係る船舶用蓄熱装置を備えた船舶の一例を示す構成図である。
【００４７】
実施形態３に係る船舶用蓄熱装置１０は、第２配管２２の代わりに、第３配管３２を設けた点を除けば、実施形態２で説明した船舶用蓄熱装置１０と同一の構成である。そのため、実施形態２と同一の構成については、その詳細な説明を省略する。
【００４８】
第３配管３２は、第１配管１２の低温槽と熱交換器６との間に、第１配管１２と高温槽８とを連結する。第３配管３２の一端は、高温槽８の底面側に設けられた排出口２９に接続されていることが好ましい。
第３配管３２は、任意の手法で流量が調節されていることが好ましい。具体的には、例えば、流量可変型の第３ポンプ３４を用いてもよいし、流量調節用のバルブ３５を設けてもよい。
【００４９】
本実施形態によれば、実施形態２と同様に、例えば、船内における温水の需要が供給量を大きく下回り、高温槽８内の清水（温水）が消費されないまま長時間残存して清水温度が次第に低下した場合でも、高温槽８の清水を熱交換器６で再加熱することができ、高温槽８の清水温度を規定温度以上に保つことができる。
具体的には、高温槽８の清水温度が規定温度以下の場合は、第１配管１２を閉じるとともに、流量可変型の第３ポンプ３４またはバルブ３５を用いて第３配管３２を開いて第３配管３２の流量を現時点の流量より大きくすることにより、高温槽８の清水を熱交換器６で再加熱する。
よって、コンパクトな構成で船舶のエンジンの廃熱を利用するだけでなく、高温槽内の温水の温度および温水量を規定値以上に維持することができ、船内への温水の供給が円滑に行われる。
【００５０】
［実施形態４］
次に、実施形態４に係る船舶用蓄熱装置について説明する。
図６は、本発明の実施形態４に係る船舶用蓄熱装置を備えた船舶の一例を示す構成図である。
【００５１】
この船舶用蓄熱装置１０は、低温槽４内の清水をボイラ１６に供給する補助配管３０を備える点を除けば、実施形態１で説明した船舶用蓄熱装置１０と同一の構成である。そのため、実施形態１と同一の構成については、その詳細な説明を省略する。
図６に示すように、船舶用蓄熱装置１０は、図１で説明した構成の他に、補助配管３０と、補助ポンプ３３と、温度センサ２６と、レベル計２８とをさらに備える。
【００５２】
このように、低温槽４内の清水をボイラ１６に供給できる補助配管３０を備えることで、高温槽８内の清水量が不足している場合でもボイラ１６で追い焚きを行うことができる。
具体的には、例えば、流量可変型の補助ポンプ３３を用いて補助配管３０を開いて補助配管３０の流量を現時点の流量よりも大きくし、低温槽４内の清水をボイラ１６で追い焚きする。
これにより、船内で使用する温水の安定した供給を行うことが可能となる。
【００５３】
［実施形態５］
次に、実施形態５に係る船舶用蓄熱装置について説明する。
図７は、本発明の実施形態５に係る船舶用蓄熱装置を備えた船舶の一例を示す構成図である。
【００５４】
船舶１は、図７に示すように、主として、船舶用蓄熱装置１０と、エンジン２０と、ボイラ１６と、給湯管１８と、補助管３０と、補助ポンプ３３とにより構成される。
【００５５】
船舶用蓄熱装置１０は、エンジン２０の廃熱を蓄熱する装置であって、例えば、低温槽４と、熱交換器６と、高温槽８と、第１配管１２と、第１ポンプ１４と、第３配管３２と、第３ポンプ３４と、温度センサ２６と、レベル計２８とを備える。
なお、これらの構成は、上述の実施形態１〜４の構成と同一であるので、その詳細な説明を省略する。
【００５６】
エンジン２０は、自身の運転状態（停止、起動）を検出するエンジン起動停止検出器３６を有する。
本実施形態では、不図示のコントローラによって、船舶へ供給する温水が適切な温度かつ適切な量で得られるように各部を制御している。
【００５７】
具体的には、表１に示すように、エンジン２０の起動状態において、高温槽８の清水量が適量で且つ高温槽８の清水温度が低下して規定温度未満の場合は、第１配管１２を閉じて第１配管１２の流量を現時点の流量より小さくするとともに、第３配管３２を開いて第３配管３２の流量を現時点の流量より大きくする。
また、高温槽８の清水温度に関わらず、高温槽８の清水量が不足している場合は、第１配管１２を開いて第１配管１２の流量を現時点の流量より大きくするとともに、第３配管３２を閉じて第３配管３２の流量を現時点の流量より小さくする。なお、第３配管３２は全閉することが好ましい。
【００５８】
一方、エンジン２０の停止状態では、表１に示すように、高温槽８の清水量が適量で且つ高温槽８の清水温度が低下して規定温度未満の場合は、ボイラ１６を起動して、高温槽８内の清水を加熱する。
また、高温槽８の清水温度に関わらず、高温槽の清水量が不足している場合は、ボイラ１６を起動するとともに、補助管３０を開いて補助管３０の流量を現時点の流量より大きくする。このようにして、低温槽４内の清水をボイラ１６で加熱し、温水の不足分を補う。
【００５９】
【表１】
2011131691.tif 000003
【００６０】
以上、本発明の一例において詳細に説明したが、本発明はこれに限定されず、本発明の要旨を逸脱しない範囲において、各種の改良や変形を行ってもよい。
例えば、上述の実施形態１〜５を適宜組み合わせてもよいのはいうまでもない。
【符号の説明】
【００６１】
１    船舶
２    清水タンク
４    低温槽
６    熱交換器
８    高温槽
１０  船舶用蓄熱装置
１２  第１配管
１４  第１ポンプ
１５  バルブ
１６  ボイラ
１８  給湯管
２０  エンジン
２２  第２配管
２４  第２ポンプ
２５  バルブ
２６  温度センサ
２８  レベル計
２９  排出口
３０  補助配管
３１  断熱蓋
３２  第３配管
３３  補助ポンプ
３４  第３ポンプ
３５  バルブ
【図１】
2011131691.tif 000004
【図２】
2011131691.tif 000005
【図３】
2011131691.tif 000006
【図４】
2011131691.tif 000007
【図５】
2011131691.tif 000008
【図６】
2011131691.tif 000009
【図７】
2011131691.tif 000010